(57)【要約】【課題】ユーザの指がタッチパネルに触れていない状態でも、タッチパネルへの指の近接を正確に検知できる入力装置及びこれを用いた電子機器を提供する。【解決手段】入力位置検出部１０１は、タッチパネル１１の抵抗膜１１Ｘと抵抗膜１１Ｙとが接したときに、タッチパネル１１への入力位置を検出する。近接検出部１０２は、抵抗膜１１Ｘ及び抵抗膜１１Ｙとグラウンドとの間に生じる静電容量を基にタッチパネル１１へのユーザの指の近接を検出する。検出モード切換制御部１０３は、入力位置検出部１０１が動作している状態と近接検出部１０２が動作している状態とを切り換える。抵抗膜接続部１２は、近接検出部１０２が動作している状態のときに、抵抗膜１１Ｘと抵抗膜１１Ｙとを電気的に接続する。【選択図】図１
2010231565.tif 000002
【特許請求の範囲】
【請求項１】
第１の抵抗膜と第２の抵抗膜を有するタッチパネルと、
前記第１の抵抗膜と前記第２の抵抗膜とが接したときに、前記タッチパネルへの入力位置を検出する入力位置検出部と、
前記第１の抵抗膜及び前記第２の抵抗膜とグラウンドとの間に生じる静電容量を基に前記タッチパネルへのユーザの指の近接を検出する近接検出部と、
前記入力位置検出部が動作している状態と前記近接検出部が動作している状態とを切り換える検出モード切換制御部と、
前記近接検出部が動作している状態のときに、前記第１の抵抗膜と前記第２の抵抗膜とを電気的に接続する抵抗膜接続部と
を備えることを特徴とする入力装置。
【請求項２】
請求項１に記載の入力装置と、
オンスクリーンディスプレイ信号を生成するオンスクリーンディスプレイ生成部と、
前記オンスクリーンディスプレイ信号に基づくオンスクリーンディスプレイが重畳された映像を表示する表示部と、
前記オンスクリーンディスプレイ生成部に前記オンスクリーンディスプレイ信号を生成させる動作制御部と
を備え、
前記動作制御部は、前記入力装置の前記近接検出部がユーザの指の近接を検出したとき、前記オンスクリーンディスプレイ生成部に前記オンスクリーンディスプレイ信号を生成させることを特徴とする電子機器。
【発明の詳細な説明】
【技術分野】
【０００１】
本発明は、タッチパネルを用いた入力装置及びこれを用いた電子機器に関する。
【背景技術】
【０００２】
近年、抵抗膜方式のタッチパネルを用いて操作入力を行う電子機器が普及している。抵抗膜方式のタッチパネルは、ユーザが入力した位置を２つの抵抗膜を用いて検出するものである。また、抵抗膜方式のタッチパネルを用いた電子機器においては、抵抗膜を近接センサとして利用し、タッチパネルの操作状況を検知することも可能である。
例えば、特開２００８−１５２４６８号公報（特許文献１）には、このような抵抗膜方式のタッチパネルの抵抗膜を近接センサとして利用することが記載されている。
【先行技術文献】
【特許文献】
【０００３】
【特許文献１】特開２００８−１５２４６８号公報
【発明の概要】
【発明が解決しようとする課題】
【０００４】
しかしながら、特許文献１に記載の発明において、タッチパネルの抵抗膜を近接センサとして利用して、タッチパネルに触れていない状態のユーザの指を検知しようとした場合、２つの抵抗膜がお互いにノイズ源となってしまい、そのノイズの影響で正確な検出が難しいという問題がある。
【０００５】
本発明はこのような問題点に鑑みなされたものであり、ユーザの指がタッチパネルに触れていない状態でも、タッチパネルへの指の近接を正確に検知できる入力装置及びこれを用いた電子機器を提供することを目的とする。
【課題を解決するための手段】
【０００６】
本発明は上述した従来の技術の課題を解決するため、第１の抵抗膜（１１Ｘ）と第２の抵抗膜（１１Ｙ）を有するタッチパネル（１１）と、前記第１の抵抗膜（１１Ｘ）と前記第２の抵抗膜（１１Ｙ）とが接したときに、前記タッチパネル（１１）への入力位置を検出する入力位置検出部（１０１）と、前記第１の抵抗膜（１１Ｘ）及び前記第２の抵抗膜（１１Ｙ）とグラウンドとの間に生じる静電容量を基に前記タッチパネル（１１）へのユーザの指の近接を検出する近接検出部（１０２）と、前記入力位置検出部（１０１）が動作している状態と前記近接検出部（１０２）が動作している状態とを切り換える検出モード切換制御部（１０３）と、前記近接検出部（１０２）が動作している状態のときに、前記第１の抵抗膜（１１Ｘ）と前記第２の抵抗膜（１１Ｙ）とを電気的に接続する抵抗膜接続部（１２）とを備えることを特徴とする入力装置を提供する。
また、本発明は上述した従来の技術の課題を解決するため、前記入力装置と、オンスクリーンディスプレイ信号を生成するオンスクリーンディスプレイ生成部（８）と、前記オンスクリーンディスプレイ信号に基づくオンスクリーンディスプレイが重畳された映像を表示する表示部（１０）と、前記オンスクリーンディスプレイ生成部（８）にオンスクリーンディスプレイ信号を生成させる動作制御部（１０４）とを備え、前記動作制御部（１０４）は、前記入力装置の前記近接検出部（１０２）がユーザの指の近接を検出したとき、前記オンスクリーンディスプレイ生成部（８）に前記オンスクリーンディスプレイ信号を生成させることを特徴とする電子機器を提供する。
【発明の効果】
【０００７】
本発明の入力装置及びこれを用いた電子機器によれば、ユーザの指がタッチパネルに触れていない状態でも、タッチパネルへの指の近接を正確に検知できる。
【図面の簡単な説明】
【０００８】
【図１】本発明の一実施形態を示すブロック図である。
【図２】本発明の一実施形態のタッチパネルを示す外観図である。
【図３】本発明の一実施形態のタッチパネルを示す概略構成図である。
【図４】本発明の一実施形態のタッチパネル及び制御部を示す構成図である。
【図５】本発明の一実施形態の近接検出モードついて説明するフローチャートである。
【図６】本発明の一実施形態の電子機器の動について説明するフローチャートである。
【発明を実施するための形態】
【０００９】
以下、本発明の入力装置及びこれを用いた電子機器について、添付図面を参照して説明する。
【００１０】
図１は電子機器として映像音声再生装置を例としたものである。制御部１は入力位置検出部１０１、近接検出部１０２、検出モード切換制御部１０３、動作制御部１０４、未入力時間測定部１０５を有する。
制御部１には例えばマイクロプロセッサを用いることができる。制御部１は１つのマイクロプロセッサで構成しても良いし、複数のマイクロプロセッサで構成しても良い。
【００１１】
記憶部３又はメディア再生部４は、動作制御部１０４による制御に従い、映像データを映像データ処理部５に入力する。また、記憶部３又はメディア再生部４は、動作制御部１０３による制御に従い、映像データと同期している音声データを音声データ処理部６に入力する。記憶部３は例えばハードディスクドライブ（ＨＤＤ）からなり、メディア再生部４は例えば光ディスクドライブからなる。
【００１２】
映像データ処理部５は、入力された映像データを映像信号（例えばＲＧＢ信号）に変換する。映像データ処理部５はその映像信号をオンスクリーンディスプレイ（ＯＳＤ）重畳部９へ入力する。
【００１３】
音声データ処理部６は入力された音声データを音声信号（例えばアナログ音声信号）に変換する。音声データ処理部６はその映像信号と同期された音声信号を例えばスピーカとアンプとを有する音声出力部７に入力する。音声出力部７はその入力された音声信号を再生する。
【００１４】
また、音声出力部７から出力される音声の音量は、動作制御部１０４によって調整される。
【００１５】
ＯＳＤ生成部８は動作制御部１０４による制御に基づいてＯＳＤ信号を生成し、ＯＳＤ重畳部９へ入力する。
【００１６】
ＯＳＤ重畳部９は映像データ処理部５から入力された映像信号にＯＳＤ信号を重畳し、表示部１０へ入力する。そして、表示部１０は、ＯＳＤ重畳部９から供給されたＯＳＤ信号が重畳された映像信号を表示する。また、電源２は各部へ電力を供給する。
【００１７】
次に、図２を用いて、ユーザがタッチパネル１１を操作した場合の電子機器の動作の一例について説明する。また、検出モードは後述する入力位置検出モードになっているとする。タッチパネル１１は表示部１０の上に重ねて設置されている。このように設置することで、表示部１０に表示されるＯＳＤ２１〜２４とタッチパネル１１への入力位置を対応させることができる。
【００１８】
ユーザがタッチパネル１１に触れると、入力位置検出部１０１は、ユーザがタッチパネル１１に触れた位置である入力位置を検出する。
入力位置検出部１０１が検出した入力位置が停止用ＯＳＤ２１上の位置であった場合、動作制御部１０４は、電子機器がコンテンツデータに基づく映像を表示したり、コンテンツデータに基づく音声を出力したりしている状態、つまり、コンテンツデータを再生している状態を停止させる。コンテンツデータが再生されていない場合、動作制御部１０４は何も行わない。
【００１９】
入力位置検出部１０１が検出した入力位置が再生用ＯＳＤ２２上の位置であった場合、動作制御部１０４は、コンテンツデータを再生する動作を各部に実行させる。コンテンツデータが再生されている場合、動作制御部１０４は何も行わない。
【００２０】
入力位置検出部１０１が検出した入力位置がチャプタ戻り用ＯＳＤ２３上の位置であった場合、動作制御部１０４は、再生中のコンテンツデータのチャプタの一つ前のチャプタを先頭部分から再生する。コンテンツデータが再生されていない場合や一番先頭のチャプタを再生している場合、動作制御部１０４は何も行わない。
【００２１】
入力位置検出部１０１が検出した入力位置がチャプタ進み用ＯＳＤ２４上の位置であった場合、動作制御部１０４は、再生中のコンテンツデータのチャプタの一つ後のチャプタを先頭部分から再生する。コンテンツデータが再生されていない場合や一番後ろのチャプタを再生している場合、動作制御部１０４は何も行わない。
【００２２】
次に、図３を用いてタッチパネル１１について説明する。タッチパネル１１は左右両端に電極を有する抵抗膜１１Ｘと、上下両端に電極を有するＹ方向抵抗膜１１Ｙを有している。抵抗膜１１Ｘの電極は上下方向に延びており、抵抗膜１１Ｙの電極は左右方向に延びている。抵抗膜１１Ｘ及び抵抗膜１１Ｙは、例えば、透明なフィルムにインジウムスズが成膜されて作成された透明な導電膜である。
【００２３】
抵抗膜１１Ｘの電極Ｘｈと電極Ｘｃとの間、及び、抵抗膜１１Ｙの電極Ｙｈと電極Ｙｃとの間には導電膜による電気抵抗がある。
【００２４】
次に図４を用いて、制御部１、タッチパネル１１、抵抗膜接続部１２の接続状態を説明する。
【００２５】
タッチパネル１１の抵抗膜１１Ｘの電極Ｘｈは、スイッチＳ３を介して電源２のプラス端子Ｔ０に接続されている。抵抗膜１１Ｘの電極Ｘｃは、第１の電圧測定部４２のＹ位置検出端子Ｔ７に接続されている。また、抵抗膜１１Ｘの電極Ｘｃは、スイッチＳ４を介してグラウンドと接続されている。
【００２６】
タッチパネル１１の抵抗膜１１Ｙの電極Ｙｈは、スイッチＳ１を介して電源２のプラス端子Ｔ０に接続されている。抵抗膜１１Ｙの電極Ｙｃは第１の電圧測定部４２のＸ位置検出端子Ｔ６に接続されている。また、抵抗膜１１Ｙの電極Ｙｃは、スイッチＳ２を介してグラウンドに接続されている。スイッチＳ１〜Ｓ４は例えばトランジスタである。
【００２７】
また、抵抗膜１１Ｘの電極Ｘｃと抵抗膜１１Ｙの電極Ｙｃとは抵抗膜接続部１２を介して接続されている。抵抗膜接続部１２は、例えばアナログスイッチである。電極Ｘｃは、第２の電圧検出部４３の近接検出端子Ｔ８に接続されている。電極Ｙｃは、抵抗膜接続部１２がオンのときに、電極Ｘｃとともに第２の電圧検出部４３の近接検出端子Ｔ８と接続される。
【００２８】
スイッチ制御部４０は、スイッチ制御端子Ｔ１〜Ｔ５からスイッチ制御信号を出力することで、スイッチＳ１〜Ｓ４及び抵抗膜接続部１２のオンオフを制御する。
【００２９】
次に図３，図４を用いて、ユーザがタッチパネル１１に触れた位置である入力位置を検出する入力位置検出モードについて説明する。図４のスイッチ制御部４０は、図１の制御部１内の検出モード切換制御部１０３として機能する。また、スイッチ制御部４０のスイッチＳ１〜Ｓ４を制御する機能と入力位置換算部４１と第１の電圧測定部４２とは、図１の制御部１内の入力位置検出部１０１として機能する。
【００３０】
後述する近接検出モードから入力位置検出モードに切り換える場合、スイッチ制御部４０は、スイッチＳ３，Ｓ４をオンにし、スイッチＳ１，Ｓ２、抵抗膜接続部１０２をオフにする。このスイッチの状態は、タッチパネルの横方向における入力位置の検出を待機している状態である。
【００３１】
この状態で、ユーザの指３０がタッチパネルの位置３１Ｘへ触れると、抵抗膜１１Ｘの位置３１Ｘと、抵抗膜１１Ｙ上における位置３１Ｘの直下の位置である位置３１Ｙとが接する。第１の電圧測定部４２は、抵抗膜１１Ｙを介して、抵抗膜１１Ｘの電極Ｘｈから位置３１Ｘまでの抵抗Ｘ１と位置３１Ｘから電極Ｘｃまでの抵抗Ｘ２とによって分圧された電圧値を検知し、その電圧値を入力位置換算部４１へ入力する。入力位置換算部４１は、検知した電圧値をタッチパネル１１の横方向の位置に換算し、スイッチ制御部４０へ入力する。
【００３２】
入力位置換算部４１からタッチパネル１１の横方向の位置が入力されると、スイッチ制御部４０１はスイッチＳ１，Ｓ２をオンにし、スイッチＳ３，Ｓ４をオフにする。抵抗膜接続部１２は引き続きオフである。このスイッチの状態は、タッチパネルの縦方向における入力位置を検出する状態である。
【００３３】
この状態で、第１の電圧測定部４２は、抵抗膜１１Ｘを介して、抵抗膜１１Ｙの電極Ｙｈから位置３１Ｙまでの抵抗Ｙ１と位置３１Ｙから電極Ｙｃまでの抵抗Ｙ２とによって分圧された電圧値を検知し、その電圧値を入力位置換算部４１へ入力する。入力位置換算部４１は、検知した電圧値をタッチパネル１１の縦方向の位置に換算し、スイッチ制御部４０へ入力する。
【００３４】
検出モードが入力位置検出モードの場合、スイッチ制御部４０は、上記のように、横方向の入力位置を検出した後、スイッチＳ１，Ｓ２をオン、スイッチＳ３，Ｓ４をオフにして、即座に縦方向の入力位置を検出する状態へと切り換える。以上のように、スイッチ制御部４０のスイッチＳ１〜Ｓ４を制御する機能と入力位置換算部４１と第１の電圧測定部４２とは、入力位置検出部１０１として機能する。
【００３５】
次に図５のフローチャート及び図４を用いて、ユーザの指３０がタッチパネル１１に近接しているか否かを判断するモードである近接検出モードについて説明する。上述のように図４中のスイッチ制御部４０は検出モード切換制御部１０３として機能する。また、スイッチ制御部４０のスイッチＳ１〜Ｓ２を制御する機能、第２の電圧測定部４３、放電時間測定部４４、センシング時間測定部４５、近接判断部４６は、後述する動作を行うことによって、図１の制御部１内の近接検出部１０２として機能する。
【００３６】
ステップＳ５０１にて、検出モード切換制御部１０３は、検出モードを近接検出モードに切り換える。つまり、ステップＳ５０１にてスイッチ制御部４０は、スイッチＳ１，２及び抵抗膜接続部１２をオンにし、スイッチＳ３，４をオフにすることで検出モードを近接検出モードにする。このとき、抵抗膜接続部１２は、スイッチ制御部４０によってオンにされることで、抵抗膜１１Ｘと抵抗膜１１Ｙとを電気的に接続する。このとき、抵抗膜１１Ｘと抵抗膜１１Ｙとを短絡するように接続するのが望ましいが、数百オーム程度までならば膜１１Ｘと抵抗膜１１Ｙとの間に抵抗が存在しても良い。
【００３７】
また、本実施形態では近接検出モードのときも、抵抗膜１１Ｘ，１１Ｙと電圧測定部４２とを接続しているが、近接検出モードのときに、抵抗膜１１Ｘ，１１Ｙと電圧測定部４２とを接続しないようにしても良い。そうすれば、抵抗膜１１Ｘ，１１Ｙとグラウンドとの間の静電容量が小さくなり、指３０が近づいたことによる静電容量の変化をより正確に検出することができる。
【００３８】
次のステップＳ５０２にて、スイッチ制御部４０は、スイッチＳ２をオフにして、抵抗膜１１Ｘ，１１Ｙとグラウンドとからなるキャパシタへの充電を開始する。また、充電開始と共にセンシング時間測定部４５はセンシング時間Ｔｓを初期化、つまりゼロにして、センシング時間Ｔｓの測定を開始する。
【００３９】
次のステップＳ５０３にて、第２の電圧測定部４３は、抵抗膜１１Ｘ，１１Ｙとグラウンドとの間の電圧値を測定する。近接判断部４６は、その電圧値が充電完了電圧値以上か否かを判断する。
ステップＳ５０３にて、電圧値が充電完了電圧値未満の場合（Ｎｏ）、ステップＳ５０３を繰り返す。電圧値が充電完了電圧値以上の場合（Ｙｅｓ）、近接判断部４６は充電が完了したと判断する。その後、ステップＳ５０４に移る。
【００４０】
次のステップＳ５０４にて、スイッチ制御部４０は、スイッチＳ２をオンにして、抵抗膜１１Ｘ，１１Ｙとグラウンドとからなるキャパシタに溜まった電荷の放電を開始する。また、放電開始と共に放電時間測定部４４は放電時間Ｔｈを初期化、つまりゼロにして、放電時間Ｔｈの測定を開始する。
【００４１】
次のステップＳ５０５にて、第２の電圧測定部４３は、抵抗膜１１Ｘ，１１Ｙとグラウンドとの間の電圧値を測定する。近接判断部４６は、その電圧値が放電完了電圧値以下か否かを判断する。
ステップＳ５０５にて、電圧値が放電完了電圧値より大きい場合（Ｎｏ）、ステップＳ５０５を繰り返す。電圧値が放電完了電圧値以下の場合（Ｙｅｓ）、近接判断部４６は放電が完了したと判断する。その後、ステップＳ５０６に移る。
【００４２】
ステップＳ５０６にて、近接判断部４６は図示しないメモリに放電時間を記憶する。放電時間とは抵抗膜１１Ｘ，１１Ｙとグラウンドとの間の電圧値が充電完了電圧値から放電完了電圧値に至るまでに要した時間である。
【００４３】
次のステップＳ５０７にて、近接判断部４６は、センシング時間測定部４５が測定しているセンシング時間Ｔｓが測定周期以上か否かを判断する。本実施形態では、測定周期を２０ｍＳとする。測定周期とは、近接検出部１０２が、指３０がタッチパネルに近接しているか否かを判断する周期である。つまり、本実施形態では２０ｍＳに一度、指３０がタッチパネル１１に近接しているか否かを判断する。
【００４４】
ステップＳ５０７にてセンシング時間が測定周期未満の場合（Ｎｏ）、ステップＳ５０８に移る。ステップＳ５０８にて、スイッチ制御部４０は、スイッチＳ２をオフにして、抵抗膜１１Ｘ，１１Ｙとグラウンドとからなるキャパシタへの充電を再開する。その後、ステップＳ５０３に戻る。このようにして、センシング時間が測定周期になるまで、放電時間の測定を繰り返す。
【００４５】
ステップＳ５０７にてセンシング時間が測定周期以上の場合（Ｙｅｓ）、ステップＳ５０９に移る。ステップＳ５０９にて、近接判断部４６は一回の測定周期中に測定した放電時間を平均し、その値が閾値以上か否かを判断する。閾値以上の場合（Ｙｅｓ）、ステップＳ５１０に移り、近接判断部４６は、ユーザの指３０がタッチパネル１１に近接していると判断する。閾値未満の場合（Ｎｏ）、ステップＳ５１１に移り、近接判断部４６は、ユーザの指３０がタッチパネル１１に近接していないと判断する。
【００４６】
以上が、１回の測定周期に近接検出部１０２が行う動作である。続けて近接検出を行う場合、近接検出部１０２はステップＳ５０２に戻り、以上の処理を繰り返す。また、本実施形態では、測定周期中の放電時間の平均を基に指３０が近接しているか否かを判断しているが、測定周期中の放電時間の合計を基に判断しても良い。
【００４７】
以上のように、本実施形態においては、抵抗膜方式タッチパネルの抵抗膜を近接センサとして利用する場合に、２つの抵抗膜１１Ｘと１１Ｙを電気的に接続するので、接続しない場合と比較して、抵抗膜がお互いにノイズ源がなることがないために正確な検出が可能となる。そのため、検出感度を上げることが可能となり、タッチパネル１１から数センチメートル離れた状態のユーザの指３０も検知できる。このとき、抵抗膜１１Ｘと抵抗膜１１Ｙとを短絡するように接続するのが望ましいが、数百オーム程度までならば抵抗膜１１Ｘと抵抗膜１１Ｙとの間に抵抗が存在しても良い。
【００４８】
次に、図６のフローチャートを用いて、本実施形態の電子機器の動作について説明する。
電子機器の電源２がオンになると、ステップＳ６０１にて検出モード切換制御部１０３は、検出モードを近接検出モードにする。近接検出モードのとき、抵抗膜接続部１２は、抵抗膜１１Ｘと抵抗膜１１Ｙとを接続する。
【００４９】
次にステップＳ６０２にて、近接検出部１０２は、ユーザの指３０がタッチパネル１１に近接しているか否かを判断する。指３０が近接していない場合（Ｎｏ）、ステップＳ６０２を繰り返す。
【００５０】
指３０がタッチパネルに近接すると（Ｙｅｓ）、ステップＳ６０３にて検出モード切換制御部１０３は、検出モードを入力位置検出モードにする。すなわち、検出モード切換制御部はスイッチＳ１〜Ｓ４及び抵抗膜接続部１２を制御することで、入力位置検出部１０１の検出機能を有効にし、近接検出部１０２の機能をオフにする。入力位置検出モードのとき、抵抗膜接続部１２は、抵抗膜１１Ｘと抵抗膜１１Ｙとを接続しない。
【００５１】
次に、ステップＳ６０４にて動作制御部１０４はＯＳＤ生成部８に停止用ＯＳＤ２１，再生用ＯＳＤ２２，チャプタ戻り用ＯＳＤ２４，チャプタ進み用ＯＳＤ２４を表示させるためのＯＳＤ信号を生成させる。ＯＳＤ生成部８は、そのＯＳＤ信号をＯＳＤ重畳部９へ入力する。ＯＳＤ重畳部９は映像データ処理部５から入力された映像信号にそのＯＳＤ信号を重畳し、表示部１０へ入力する。そして、表示部１０は、ＯＳＤ重畳部９から供給された停止用ＯＳＤ２１，再生用ＯＳＤ２２，チャプタ戻り用ＯＳＤ２４，チャプタ進み用ＯＳＤ２４が重畳された映像信号を表示する。
【００５２】
次に、ステップＳ６０５にて、未入力時間測定部１０５は未入力時間Ｔｎの計測を開始する。
【００５３】
次のステップＳ６０６にて、入力位置検出部１０１は、入力があるか否かを判断し、入力があれば（Ｙｅｓ）、ステップＳ６０７に移る。入力がなければ（Ｎｏ）、ステップＳ６０９に移る。ステップＳ６０６において、検出モードは入力位置検出モードである。よって、ここでの入力がある状態とは、ユーザの操作によって抵抗膜１１Ｘと抵抗膜１１Ｙとが接触した状態である。
【００５４】
ステップＳ６０７にて、入力位置検出部１０１は入力位置を検出し、動作制御部１０４は、その入力位置検出部１０１が検出した入力位置に応じた動作を各部に実行させる。
【００５５】
次のステップＳ６０８にて、未入力時間測定部１０５は未入力時間Ｔｎを０にリセットした上で、未入力時間Ｔｎの計測を再開する。
【００５６】
ステップＳ６０６にて、入力がなかった場合であるステップＳ６０９にて、未入力時間測定部１０５は、未入力時間Ｔｎが所定の閾値以上であるか否かを判断する。本実施形態において、閾値は１０秒とする。未入力時間Ｔｎが閾値未満の場合（Ｎｏ）、ステップＳ６０６に戻る。未入力時間Ｔｎが閾値以上である場合（Ｙｅｓ）、ステップＳ６１０に移る。
【００５７】
ステップＳ６１０にて、動作制御部１０４は、ＯＳＤ生成部８にＯＳＤ信号の生成を停止させる。その結果、表示部１０は、ＯＳＤが重畳されていない映像信号を表示する。その後ステップＳ６０１に戻る。
【００５８】
このようにタッチパネル１１を近接センサとしても利用することで、ユーザが操作しようとして、タッチパネル１１に指３０を近づけたことを検知することができる。その結果、以上のように映像の表示中に指３０の接近を検知して自動で操作用のＯＳＤを表示させるなど、様々に利用できる。
【００５９】
本発明は以上説明した実施形態に限定されることはなく、本発明の要旨を逸脱しない範囲において種々変更が可能である。本実施形態においてはタッチパネルへの操作を指３０で行うことを例としたが、タッチパネル１１への操作入力は指３０以外で行っても良い。本発明を用いれば指３０以外のタッチパネル１１への近接を検出することも可能である。
また、本実施形態においては、放電時間を測定することで静電容量を検出したが、公知の様々な方法を用いることができる。
【符号の説明】
【００６０】
８  オンスクリーンディスプレイ生成部
１０  表示部
１１  タッチパネル
１１Ｘ，１１Ｙ  抵抗膜
１２  抵抗膜接続部
１０１  入力位置検出部
１０２  近接検出部
１０３  検出モード切換制御部
１０４  動作制御部
【図１】
2010231565.tif 000003
【図２】
2010231565.tif 000004
【図３】
2010231565.tif 000005
【図４】
2010231565.tif 000006
【図５】
2010231565.tif 000007
【図６】
2010231565.tif 000008